(57)【特許請求の範囲】
【請求項１】
下端部にキャスターを備えた二本の脚柱を横架材にて連結して脚体を形成し、該脚体を一対対向配置して各脚体の脚柱同士を伸縮自在なパンタグラフ状の筋交いにて連結し、前記脚体間に足場板を架設して成る折り畳み式作業足場であって、前記足場板は長さ方向に二分割して各足場板長さを筋交い拡張時の各脚体の間隔に対して略半分の長さとする一方、各足場板長さを前記脚柱長さより短くすると共に、各足場板の基端部を前記各脚体の上端部に回動自在に軸着して各足場板を左右両側に対称に開くように構成し、各足場板の遊端部を折り畳み位置に回動させたときに、各足場板が脚体の外側に沿うように裏面側を外方に向けた状態で垂下されて前記キャスターにて移動自在とし、かつ各足場板の遊端部同士が近接するように水平位置に回動させたときに、各足場板の遊端部を支持する支持材を前記筋交いの伸縮方向の略中間部に備えたことを特徴とする折り畳み式作業足場。
【発明の詳細な説明】
【技術分野】
【０００１】
本発明は、内装工事や小規模の建築工事現場等で使用される折り畳み可能な作業足場に関する。
【背景技術】
【０００２】
従来、内装工事や小規模の建築工事現場等においては、設置及び撤去作業が容易で、搬送や保管性等にも優れる折り畳み式の作業足場が広く一般的に採用されている。これら作業足場は、例えば、下端部に移動用のキャスターを備えた脚柱を二本並設し、これら各脚柱同士を横架材にて連結して枠状の脚体を形成すると共に、この脚体を一対対向配置して各脚体の脚柱同士を伸縮自在なパンタグラフ状の筋交いにて連結して成り、使用時にはパンタグラフ状の筋交いを拡張した状態で各脚体の横架材間に足場板を架設して作業足場とする一方、撤去時には架設した足場板を取り外した後、パンタグラフ状の筋交いを折り畳んでコンパクトにしており、例えば、特許文献１〜３に示されるようなものが公知である。
【０００３】
ところで、折り畳み式作業足場を折り畳む場合、脚体や筋交い等から成る足場本体から取り外される足場板の運搬や保管等が極めて不便であるといった問題があり、例えば、特許文献１においては、足場板の裏面に掛け金具を備え、該掛け金具を脚体の横架材（横桟）に掛止させるようにしている。また、特許文献２においては、足場板を取り外すことなく一方の脚体に対してスライド自在に係合させるようにして、特許文献１と同様に、折り畳んだ足場本体と足場板を一体的に収納することで運搬性や保管性を良好なものとしている。
【特許文献１】実公平３−１４５１６号公報
【特許文献２】実公平４−１２４４号公報
【特許文献３】実公平６−３６１６６号公報
【発明の開示】
【発明が解決しようとする課題】
【０００４】
しかしながら、上記従来の折り畳み式作業足場では、足場板が長くなると、折り畳んだ足場本体と一体的に収納しても、足場板の長さに制約されてコンパクトとはならず、運搬性や保管性にも不便なところがある。
【０００５】
本発明は上記の点に鑑み、足場板を分割構成して運搬性や保管性に優れた折り畳み式作業足場を提供することを課題とする。
【課題を解決するための手段】
【０００６】
上記の課題を解決するために、本発明の折り畳み式作業足場では、下端部にキャスターを備えた二本の脚柱を横架材にて連結して脚体を形成し、該脚体を一対対向配置して各脚体の脚柱同士を伸縮自在なパンタグラフ状の筋交いにて連結し、前記脚体間に足場板を架設して成る折り畳み式作業足場であって、前記足場板は長さ方向に二分割して各足場板長さを筋交い拡張時の各脚体の間隔に対して略半分の長さとする一方、各足場板長さを前記脚柱長さより短くすると共に、各足場板の基端部を前記各脚体の上端部に回動自在に軸着して各足場板を左右両側に対称に開くように構成し、各足場板の遊端部を折り畳み位置に回動させたときに、各足場板が脚体の外側に沿うように裏面側を外方に向けた状態で垂下されて前記キャスターにて移動自在とし、かつ各足場板の遊端部同士が近接するように水平位置に回動させたときに、各足場板の遊端部を支持する支持材を前記筋交いの伸縮方向の略中間部に備えたことを特徴としている。
【発明の効果】
【０００７】
本発明に係る折り畳み式作業足場によれば、下端部にキャスターを備えた二本の脚柱を横架材にて連結して脚体を形成し、該脚体を一対対向配置して各脚体の脚柱同士を伸縮自在なパンタグラフ状の筋交いにて連結し、前記脚体間に足場板を架設して成る折り畳み式作業足場であって、前記足場板は長さ方向に二分割して各足場板長さを筋交い拡張時の各脚体の間隔に対して略半分の長さとする一方、各足場板長さを前記脚柱長さより短くすると共に、各足場板の基端部を前記各脚体の上端部に回動自在に軸着して各足場板を左右両側に対称に開くように構成し、各足場板の遊端部を折り畳み位置に回動させたときに、各足場板が脚体の外側に沿うように裏面側を外方に向けた状態で垂下されて前記キャスターにて移動自在とし、かつ各足場板の遊端部同士が近接するように水平位置に回動させたときに、各足場板の遊端部を支持する支持材を前記筋交いの伸縮方向の略中間部に備えたので、足場板を分割して折り畳めて折り畳み時の嵩スペースが抑えられ、運搬性や保管性に優れると共に、長尺の足場板でも好適に採用できる。
【発明を実施するための最良の形態】
【０００８】
本発明に係る折り畳み式作業足場によれば、パンタグラフ状の筋交いにて伸縮自在とした脚体間に架設する足場板を長さ方向に二分割し、各足場板長さを筋交い拡張時の各脚体の間隔に対して略半分の長さとする。そして、各足場板の基端部を各脚体の上端部に回動自在に軸着すると共に、各足場板の遊端部を回動して水平に位置させたときに、足場板の遊端部を支持する支持材を前記筋交いの伸縮方向の略中間部に備える。
【０００９】
そして、作業足場を使用するときには、折り畳んだ状態の作業足場の各脚体を引き離してパンタグラフ状の筋交いを拡張した後、各脚体の上端部に軸着した足場板を回動させて水平にさせるとその遊端部を筋交いに取り付けた支持材にて支持され、その状態で固定ピン等にて固定して使用する。また、作業足場を撤去するときには、足場板をそれぞれ外方向へ回動して脚体外側に沿わせるように収納した後、パンタグラフ状の筋交いを折り畳み、コンパクトで取り扱いやすいものとする。
【００１０】
このように、上記折り畳み式作業足場は、架設される足場板を二分割として収納するようにしたので、折り畳んだときの嵩スペースが抑えられ、例えば作業性を重視した長尺の足場板でも好適に採用することができる。
【実施例】
【００１１】
以下、本発明の実施例を図面に基づいて説明する。
【００１２】
１は本発明に係る折り畳み式作業足場であって、対向配置した一対の脚体２ａ、２ｂと、それらを連結する伸縮自在なパンタグラフ状の筋交い３、及び各脚体２ａ、２ｂ間に架設する足場板４ａ、４ｂとから主体を構成している。
【００１３】
前記脚体２ａ、２ｂは、二本の脚柱５を平行に立設し、これら各脚柱５を複数の横架材６にて連結して枠状に形成している。また、前記脚柱５は外管７と、その内部に下方より摺動自在に嵌入した内管８とから成り、内管８に対して外管７を適宜高さ位置で固定ピン等にて固定することによって脚体２ａ、２ｂの高さ調節を可能としている。また、前記外管７の下部側には、丸孔を穿設した係止片９を突設していると共に、外管７の中間部から上部側に亘り、外管７の長手方向に沿って適宜長さの長孔１０を穿設したガイド片１１を突設している一方、内管８の下端部には移動用のキャスター１２を備えている。
【００１４】
筋交い３は、多数の棒材１３をそれぞれ交差させ、連結ピンにて回動自在に軸着して連結することによって伸縮自在としたパンタグラフ状のものであり、その両端部において上位側となる棒材１３端部には、前記ガイド片１１の長孔１０の溝幅より若干小径の摺動ピン１４を固着している一方、下位側となる棒材１３端部には係止片９の丸孔と略同径のピン孔を穿設している。
【００１５】
そして、対向配置した一対の脚体２ａ、２ｂの脚柱５間に前記筋交い３を配置し、筋交い３端部のピン孔を係止片９の丸孔位置に合わせて連結ピンを挿入して軸着する一方、筋交い３端部の摺動ピン１４をガイド片１１の長孔１０内に嵌合する。このように構成することにより、各脚体２ａ、２ｂを引き離したり近づけたりするのに応じて摺動ピン１４が長孔１０内を摺動し、筋交い３を伸縮可能としている。
【００１６】
足場板４ａ、４ｂは、前記筋交い３を拡げきったときの各脚体２ａ、２ｂの間隔に対して略半分の長さを有しており、これら各足場板４ａ、４ｂの基端部をそれぞれ脚体２ａ、２ｂの上端部に軸体１５にて、図１中の矢印で示すように、回動自在に軸着している。そして、折り畳み時には、各足場板４ａ、４ｂは、図５、図６に示すように、各脚体２ａ、２ｂの外側に沿うように裏面側を外方に向けた状態で垂下される一方、使用時には、各足場板４ａ、４ｂは、図１〜図３に示すように、その遊端部同士が最も近接し、各脚体２ａ、２ｂの上位に表面側を上方に向けた状態で水平に架設されるように、各足場板４ａ、４ｂの先端部を支持材１６にて下方より支持するように構成している。
【００１７】
また、各足場板４ａ、４ｂの上面隅部には複数の透孔１７を穿設していると共に、該透孔１７の下位にあたる、脚体２ａ、２ｂの上端部には手摺材立設用の支持管１８を備えており、足場設置時には、必要に応じて手摺材の下端部を前記透孔１７を介して支持管１８に嵌入させることにより、足場板４ａ、４ｂ周囲に手摺材（図示せず）を立設可能としている。
【００１８】
前記支持材１６は、筋交い３の伸縮方向の略中間部に備えた一対の中間支柱１９と、その上端部に架設した横架材２０とから成る略門型としている。前記中間支柱１９は、外管２１とその内部に下方より摺動自在に嵌入した内管２２とから成り、該内管２２の下端部を筋交い３の下位側連結部へ連結ピンにて軸着している一方、外管２１の中間部を筋交い３の上位側連結部へ連結ピンにて軸着しており、筋交い３の伸縮に応じて中間支柱１９が上下方向へ伸縮し、筋交い３の伸縮を妨げないような構成としている。
【００１９】
そして、筋交い３拡張時には中間支柱１９が短縮して、図１に示すように、足場板４ａ、４ｂの基端部を軸着する脚体２ａ、２ｂ上端部の高さ位置と、支持材１６の横架材２０の高さ位置とが略同じになるように設定しており、各足場板４ａ、４ｂを水平位置に回動させたときに各足場板４ａ、４ｂの遊端部を下方より支持可能としている。
【００２０】
また、筋交い３と脚柱５とを振れ止め材２３にて連結しており、該振れ止め材２３は、外管２４とその内部に摺動自在に嵌入した内管２５とから成り、適宜長さに調節可能としている。
【００２１】
そして、作業足場１を使用するときには、先ず、図５、図６に示すように、折り畳んだ状態の作業足場１の両端の脚体２ａ、２ｂを引き離していくと、それに追従してパンタグラフ状の筋交い３が拡張されていく。そして、各脚体２ａ、２ｂを所定間隔引き離し終えると、各脚体２ａ、２ｂの上端部に軸着した各足場板４ａ、４ｂを、図１の矢印で示すように、それぞれ内側方向へ回動させていき、略２７０°程度回動させてそれらの遊端部同士が最も近接する水平位置にきたときには、図１〜図３に示すように、各足場板４ａ、４ｂ遊端部は筋交い３の中間部に備えた支持材１６によって下方より支持され、その状態にて固定ピン等で固定する。また、作業現場の高さに応じて、例えば図４の矢印に示すように、脚体２ａ、２ｂの高さ調整を適宜行うと共に、必要に応じて足場板４ａ、４ｂ周囲に手摺材（図示せず）を取り付けて使用する。
【００２２】
一方、作業足場１を撤去するときは、足場板４ａ、４ｂと支持材１６との固定を解除した後、各足場板４ａ、４ｂを、図１の矢印で示すように、それぞれ外側方向へ回動させていき、略２７０°程度回動させて、図５、図６に示すように、脚体２ａ、２ｂ外側に沿わせるように垂下させて収納状態とすると共に、パンタグラフ状の筋交い３を折り畳み、コンパクトにしてから撤去する。
【００２３】
このように、上記折り畳み式作業足場１は、長さ方向に二分割した足場板４ａ、４ｂをそれぞれ各脚体２ａ、２ｂに沿わせるように垂下させて収納するようにしたので、折り畳んだときの嵩スペースを抑えることができ、運搬性や保管性に優れたものとすることができる。また、作業性を重視した比較的長尺の足場板でも好適に採用することが可能となる。
【図面の簡単な説明】
【００２４】
【図１】本発明に係る折り畳み式作業足場の一実施例を示す正面図である。
【図２】図１の平面図である。
【図３】図１の側面図である。
【図４】高さ調整をした状態を示す、図１に相当する図である。
【図５】折り畳んだ状態を示す、図１に相当する図である。
【図６】折り畳んだ状態を示す、図３に相当する図である。
【符号の説明】
【００２５】
１…折り畳み式作業足場          ２ａ、２ｂ…脚体
３…筋交い                      ４ａ、４ｂ…足場板
５…脚柱                        ６…横架材
１２…キャスター                １６…支持材
１９…中間支柱                  ２０…横架材
【図１】
0004480183.tif 000002
【図２】
0004480183.tif 000003
【図３】
0004480183.tif 000004
【図４】
0004480183.tif 000005
【図５】
0004480183.tif 000006
【図６】
0004480183.tif 000007